(57)【要約】   【課題】  ユーザの利便性を維持しつつ、かつ、同一のアクセスキーを単一の利用者のみが使用できることが保証される。  【解決手段】  サーバ１８は、第１の携帯端末１２とアクセスキー発行部３６との間の、無線電話網等を介したデータ通信を制御する第１の通信制御部３０と、アクセスキー発行部３６と第２の携帯端末２６との間の、無線ＬＡＮ網２２を介したデータ通信を制御する第２の通信制御部３２とを有し、第１の通信制御部３０が、第２の携帯端末２６の固有のデータと、第２の携帯端末２６がインターネットアクセス可能にするためのアクセスキーを、アクセスキー発行部３６から第２の携帯端末２６に配信することを要求するデータとを、第１の携帯端末１２から前記アクセスキー発行部３０に伝達するように構成され、かつ、第２の通信制御部２３が、要求に基づいて、発行されたアクセスキーを、第２の携帯端末２６に対して配信するように構成される。【選択図】  図２
2005039683.tif 000002
【特許請求の範囲】
【請求項１】
第１の携帯端末とアクセスキー発行手段との間の、第１のデータ通信網を介したデータ通信を制御する第１の通信制御手段と、前記アクセスキー発行手段と第２の携帯端末との間の、第２のデータ通信網を介したデータ通信を制御する第２の通信制御手段とを有し、
前記第１の通信制御手段が、前記第２の携帯端末の固有のデータと、前記第２の携帯端末がネットワークを介したインターネットアクセスを可能にするためのアクセスキーを、前記アクセスキー発行手段から第２の携帯端末に配信することを要求するデータとを、前記第１の携帯端末から前記アクセスキー発行手段に伝達するように構成され、かつ、
前記第２の通信制御手段が、前記要求に基づいて、前記アクセスキー発行手段から発行されたアクセスキーを、前記第２の携帯端末に対して配信するように構成されたことを特徴とする通信制御システム。
【請求項２】
ユーザＩＤおよびパスワードを少なくとも含むユーザデータテーブルを備え、
前記第１の通信制御手段が、ユーザデータテーブルを参照して、ユーザを認証するとともに、第１の携帯端末から送られた、前記第２の携帯端末の固有のデータを受理するように構成されたことを特徴とする請求項１に記載のシステム。
【請求項３】
ユーザＩＤ、パスワードおよび第２の携帯端末の固有データを少なくとも含むユーザデータテーブルを備え、
前記第１の通信制御手段が、ユーザデータテーブルを参照して、ユーザを認証するとともに、前記ユーザデータテーブルから、前記ユーザＩＤおよびパスワードにより特定される、前記第２の携帯端末の固有データを取得するように構成されたことを特徴とする請求項１に記載のシステム。
【請求項４】
前記第１のデータ通信網が無線電話網を含み、前記ユーザＩＤが、前記第１の携帯端末の携帯電話番号に対応し、かつ、前記パスワードが音声により入力されることを特徴とする請求項３に記載のシステム。
【請求項５】
前記第２のデータ通信網が、複数の無線ＬＡＮ基地局を含む無線通信網を含み、
第２の通信制御手段が、前記全ての無線ＬＡＮ基地局に、前記第２の携帯端末の固有のデータおよびアクセスキーを含むパケットを送信するように構成されたことを特徴とする請求項１ないし４の何れか一項に記載のシステム。
【請求項６】
前記第２のデータ通信網が、複数の無線ＬＡＮ基地局を含む無線通信網を含み、
前記第２の通信制御手段が、前記第１の通信制御手段とデータ通信を行なう第１の携帯端末の位置に基づき、所定の位置の無線ＬＡＮ基地局に、前記第２の携帯端末の固有のデータおよびアクセスキーを含むパケットを送信するように構成されたことを特徴とする請求項１ないし４の何れか一項に記載のシステム。
【請求項７】
第１の携帯端末から第１のデータ通信網を介して、第２の携帯端末の固有のデータと、第２の携帯端末がネットワークを介したインターネットアクセスを可能にするためのアクセスキーを、前記アクセスキー発行手段から第２の携帯端末に配信することを要求するデータとを受理するステップと、
前記データの受理に応答してアクセスキーを発行するステップと、
発行されたアクセスキーを、第２のデータ通信網を介して、前記第２の携帯端末に対して配信するステップとを備えたことを特徴とする通信制御方法。
【請求項８】
前記第１の携帯端末からのデータの受理に際して、
ユーザＩＤおよびパスワードを少なくとも含むユーザデータテーブルを参照して、ユーザを認証するステップを備えたことを特徴とする請求項７に記載の方法。
【請求項９】
第１の携帯端末からのデータ受理に際して、
ユーザＩＤ、パスワードおよび第２の携帯端末の固有データを少なくとも含むユーザデータテーブルを参照して、ユーザを認証するとともに、前記ユーザデータテーブルから、前記ユーザＩＤおよびパスワードにより特定される、前記第２の携帯端末の固有データを取得するステップを備えたことを特徴とする請求項７に記載の方法。
【請求項１０】
前記第１のデータ通信網が無線電話網を含み、前記ユーザＩＤが、前記第１の携帯端末の携帯電話番号に対応し、かつ、前記パスワードが音声により入力されることを特徴とする請求項９に記載の方法。
【請求項１１】
前記第２のデータ通信網が、複数の無線ＬＡＮ基地局を含む無線通信網を含み、
アクセスキーを配信するステップが、前記全ての無線ＬＡＮ基地局に、前記第２の携帯端末の固有のデータおよびアクセスキーを含むパケットを送信するステップを有することを特徴とする請求項７ないし１０の何れか一項に記載の方法。
【請求項１２】
前記第２のデータ通信網が、複数の無線ＬＡＮ基地局を含む無線通信網を含み、
アクセスキーを配信するステップが、第１の携帯端末の位置に基づき、所定の位置の無線ＬＡＮ基地局に、前記第２の携帯端末の固有のデータおよびアクセスキーを含むパケットを送信するステップを有することを特徴とする請求項７ないし１１の何れか一項に記載の方法。
【発明の詳細な説明】
【技術分野】
【０００１】
本発明は、携帯端末を利用して、端末装置にてインターネットなどのネットワークに接続する方法およびシステムに関する。
【背景技術】
【０００２】
いわゆる公衆無線ＬＡＮを利用して、携帯端末、ＰＤＡ、パーソナルコンピュータなど端末装置を種々の場所でインターネットに接続する技術が提案されている。種々の場所で、端末装置をインターネットに接続させるため、この技術においては、ユーザ或いは端末装置を認証して、ユーザや端末装置が当該サービスを受けることができることを確認する必要がある。
【０００３】
たとえば、非特許文献１には、上記インターネットへの接続のために、他の携帯端末（たとえば携帯電話）を利用して、パスワードを受け取り、そのパスワードを利用する手法が提案されている。
【非特許文献１】「「無線による、駅でのインターネット接続実験」  携帯電話を用いて“「１ＤＡＹ−ＩＤ／パスワード」発行サービス”について」、[online]、平成１５年４月１６日、日本テレコム株式会社、東日本旅客鉄道株式会社、インターネット＜ＵＲＬ：http://www.japan-telecom.co.jp/newsrelease/2003/apr/nr030416.html＞
【発明の開示】
【発明が解決しようとする課題】
【０００４】
上記手法を利用する場合、ユーザは、まず自己の携帯電話を利用して、無線電話網および携帯電話基地局を介してアクセスキー発行局に対して、ユーザＩＤ、パスワード（或いはパスフレーズ）を含むアクセスキーの送付を求める。このユーザＩＤやパスワードは、ユーザ登録によりアクセスキー発行局により発行され、データベースに記憶されていても良いし、或いは、ユーザの要求によりアクセスキー発行局において発行されても良い。
【０００５】
ユーザは携帯電話の表示装置の画面上に表示されたアクセスキーを参照して、ラップトップコンピュータやＰＤＡなどの他の携帯端末に、当該アクセスキーを入力し、公衆無線ＬＡＮを介したインターネットのアクセスを求める。
【０００６】
上記手法では、携帯電話でユーザはまずアクセスキーを求め、携帯電話に届いたアクセスキーを、他の携帯端末に打ち込み直さなければならないという問題点があった。
【０００７】
また、他の携帯端末と、取得するアクセスキーとは独立しているため、同一のアクセスキーを複数の者で使いまわすことが可能であるという問題もある。
【０００８】
本発明は、ユーザの利便性を維持しつつ、かつ、同一のアクセスキーを単一の利用者のみが使用できることが保証されるシステムを提供することを目的とする。
【課題を解決するための手段】
【０００９】
本発明の目的は、第１の携帯端末とアクセスキー発行手段との間の、第１のデータ通信網を介したデータ通信を制御する第１の通信制御手段と、前記アクセスキー発行手段と第２の携帯端末との間の、第２のデータ通信網を介したデータ通信を制御する第２の通信制御手段とを有し、前記第１の通信制御手段が、前記第２の携帯端末の固有のデータと、前記第２の携帯端末がネットワークを介したインターネットアクセスを可能にするためのアクセスキーを、前記アクセスキー発行手段から第２の携帯端末に配信することを要求するデータとを、前記第１の携帯端末から前記アクセスキー発行手段に伝達するように構成され、かつ、前記第２の通信制御手段が、前記要求に基づいて、前記アクセスキー発行手段から発行されたアクセスキーを、前記第２の携帯端末に対して配信するように構成されたことを特徴とする通信制御システムにより達成される。
【００１０】
本発明によれば、第１の携帯端末から、インターネットアクセスを求める第２の携帯端末の固有データを送信し、アクセスキーおよび固有データが、第２の通信網を介して配信される。したがって、ユーザは、第２の携帯端末において、配信されたアクセスキーを受理した上で、インターネットにアクセスすればよく、ユーザによるキー操作などを著しく簡便にすることが可能となる。
【００１１】
なお、第１の携帯端末として、携帯電話を利用することができる。また、第２の携帯端末には、ＰＤＡやラップトップコンピュータなどが含まれる。
【００１２】
好ましい実施態様においては、ユーザＩＤおよびパスワードを少なくとも含むユーザデータテーブルを備え、前記第１の通信制御手段が、ユーザデータテーブルを参照して、ユーザを認証するとともに、第１の携帯端末から送られた、前記第２の携帯端末の固有のデータを受理するように構成されている。この実施態様においては、ユーザは第１の携帯端末のキーを操作して、パスワードや固有データを入力すれば良い。
【００１３】
別の好ましい実施態様においては、ユーザＩＤ、パスワードおよび第２の携帯端末の固有データを少なくとも含むユーザデータテーブルを備え、前記第１の通信制御手段が、ユーザデータテーブルを参照して、ユーザを認証するとともに、前記ユーザデータテーブルから、前記ユーザＩＤおよびパスワードにより特定される、前記第２の携帯端末の固有データを取得する。この実施態様においては、ユーザＩＤおよびパスワードにより、第２の携帯端末の固有データが特定されるため、ユーザは、固有データを入力する必要がなくなる。
【００１４】
より好ましくは、前記第１のデータ通信網が無線電話網を含み、前記ユーザＩＤが、前記第１の携帯端末の携帯電話番号に対応し、かつ、前記パスワードが音声により入力される。
【００１５】
また、別の好ましい実施態様においては、前記第２のデータ通信網が、複数の無線ＬＡＮ基地局を含む無線通信網を含み、第２の通信制御手段が、前記全ての無線ＬＡＮ基地局に、前記第２の携帯端末の固有のデータおよびアクセスキーを含むパケットを送信するように構成される。
【００１６】
或いは、前記第２のデータ通信網が、複数の無線ＬＡＮ基地局を含む無線通信網を含み、前記第２の通信制御手段が、前記第１の通信制御手段とデータ通信を行なう第１の携帯端末の位置に基づき、所定の位置の無線ＬＡＮ基地局に、前記第２の携帯端末の固有のデータおよびアクセスキーを含むパケットを送信するように構成されていても良い。
【００１７】
また、本発明の目的は、第１の携帯端末から第１のデータ通信網を介して、第２の携帯端末の固有のデータと、第２の携帯端末がネットワークを介したインターネットアクセスを可能にするためのアクセスキーを、前記アクセスキー発行手段から第２の携帯端末に配信することを要求するデータとを受理するステップと、前記データの受理に応答してアクセスキーを発行するステップと、発行されたアクセスキーを、第２のデータ通信網を介して、前記第２の携帯端末に対して配信するステップとを備えたことを特徴とする通信制御方法により達成される。
【００１８】
好ましい実施態様においては、前記第１の携帯端末からのデータの受理に際して、ユーザＩＤおよびパスワードを少なくとも含むユーザデータテーブルを参照して、ユーザを認証するステップを備えている。
【００１９】
或いは、第１の携帯端末からのデータ受理に際して、ユーザＩＤ、パスワードおよび第２の携帯端末の固有データを少なくとも含むユーザデータテーブルを参照して、ユーザを認証するとともに、前記ユーザデータテーブルから、前記ユーザＩＤおよびパスワードにより特定される、前記第２の携帯端末の固有データを取得するステップを備えていても良い。さらに、前記第１のデータ通信網が無線電話網を含み、前記ユーザＩＤが、前記第１の携帯端末の携帯電話番号に対応し、かつ、前記パスワードが音声により入力されても良い。
【００２０】
別の好ましい実施態様においては、前記第２のデータ通信網が、複数の無線ＬＡＮ基地局を含む無線通信網を含み、アクセスキーを配信するステップが、前記全ての無線ＬＡＮ基地局に、前記第２の携帯端末の固有のデータおよびアクセスキーを含むパケットを送信するステップを有する。
【００２１】
さらに別の好ましい実施態様においては、前記第２のデータ通信網が、複数の無線ＬＡＮ基地局を含む無線通信網を含み、アクセスキーを配信するステップが、第１の携帯端末の位置に基づき、所定の位置の無線ＬＡＮ基地局に、前記第２の携帯端末の固有のデータおよびアクセスキーを含むパケットを送信するステップを有する。
【発明の効果】
【００２２】
本発明によれば、ユーザの利便性を維持しつつ、かつ、同一のアクセスキーを単一の利用者のみが使用できることが保証されるシステムを提供することが可能となる。
【発明を実施するための最良の形態】
【００２３】
以下、添付図面を参照して、本発明の実施の形態について説明する。図１は、本発明の実施の形態にかかるシステム全体の概略を示すブロックダイヤグラムである。図１に示すように、本実施の形態においては、ユーザは第１の携帯端末に相当する携帯電話１２により、無線電話網１４および携帯電話基地局１６を介して、アクセスキー発行局のサーバ１８にアクセスすることができる。本実施の形態においては、実際には、たとえば、携帯電話１２は、携帯電話基地局１６から、さらにゲートウェイおよびインターネット（ともに図示せず）を介して、サーバ１８にアクセスされる。
【００２４】
サーバ１８にはデータベース（ＤＢ）２０が接続されている。ＤＢ２０には、ユーザごとのユーザＩＤおよびパスワード（或いはパスフレーズ）が記憶されている。なお、本実施の形態において、以下、「パスワード」は、キー入力するユーザ固有の文字列であるパスワードと、ユーザ固有の音声による言語の列であるパスフレーズの双方を含む。
【００２５】
さらに、本実施の形態においては、ユーザは、公衆無線ＬＡＮ網２２および無線ＬＡＮ基地局２４を介してインターネットに接続するための第２の携帯端末２６を利用する。この第２の携帯端末２６として、ラップトップコンピュータやＰＤＡを使用することができる。第２の携帯端末２６には、予め装置を特定するための端末ＩＤが付されている。この端末ＩＤは、装置ごとの製造番号やマックアドレス(MAC address)が利用され得る。
【００２６】
ユーザは、第１の携帯端末１２を利用して、無線電話網１４および携帯電話基地局１６を介して、アクセスキー発行局に対して、ユーザＩＤおよびパスワードの発行を求め、予めこれらを取得しておく。本実施の形態では、実際に、第１の携帯端末が、無線電話網１４および携帯電話基地局１６を経て、さらに、ゲートウェイ（図示せず）およびインターネットを介して、アクセスキー発行局のサーバ１８にアクセスして、ユーザＩＤおよびパスワードの発行を求め、これらを取得する。
【００２７】
アクセスキー発行局のサーバ１８は、ユーザの要求に応じて発行したユーザＩＤおよびパスワードを、ユーザを一意的に特定する情報と関連付けて、ＤＢ２０に記憶しておく。なおユーザを一意的に特定する情報として、携帯電話の電話番号を利用することができる。第１の携帯端末１２が、無線電話網１４および携帯電話基地局１６を介して、アクセスキー発行局のサーバ１８にアクセスしてきた場合、ユーザが特に操作をする必要なく、その電話番号にて、第１の携帯端末１２を一意的に特定できる。
【００２８】
図２に示すように、サーバ１８は、無線電話網１４および携帯電話基地局１６を介した、第１の携帯端末１２とのデータ通信を制御する第１の通信制御部３０と、公衆無線ＬＡＮ網２２および無線ＬＡＮ基地局２４を介した、第２の携帯端末２６とのデータ通信を制御する第２の通信制御部３２と、ＤＢ２０に記憶されたユーザＩＤやパスワードを管理するユーザデータ管理部３４と、アクセスキーを発行するアクセスキー発行部３６とを備えている。また、本実施の形態において、ＤＢ２０においては、それぞれが、ユーザの電話番号をキーとして、ユーザＩＤおよびパスワードなどを収容した複数のレコードを含むユーザデータテーブル３８が記憶されている。
【００２９】
このように構成されたシステムにおける、第２の携帯端末２６へのアクセスキーの伝達手順についてより詳細に説明する。図３に示すように、まず、ユーザは第１の携帯端末１２を操作して、サーバ１８のＵＲＬにアクセスし、当該ユーザに与えられたユーザＩＤおよびパスワードと、第２の携帯端末を特定する情報（たとえば、マックアドレス(MAC Addressなどの認識番号)とを入力し、これをサーバ１８に伝達する（ステップ３０１、３０２）。サーバ１８のユーザデータ管理部３４は、第１の携帯端末１２からのアクセスに基づき、その電話番号を特定して、ＤＢ２０のユーザデータテーブル３８中、電話番号に関連付けられたレコードからユーザＩＤおよびパスワードを取り出し、受信したユーザＩＤおよびパスワードと照合する（ステップ３０３）。双方が一致しなかった場合には、認証失敗と判断され（ステップ３０４でノー(No)）、認証失敗を示す情報が、第１の携帯端末１２に通知される（ステップ３０５、３０６）。
【００３０】
双方が一致した場合には、認証成功と判断され（ステップ３０４でイエス(Yes)）、認証成功を示す情報が、第１の携帯端末１２に通知される（ステップ３０７、３０８）。また、認証成功に応答して、アクセスキー発行部３６は、ユーザが利用しようとしている第２の携帯端末２６固有のアクセスキーを生成する（ステップ３０９、３１０）。生成されたアクセスキーは、たとえば、その発行日ととともに、ユーザデータテーブル３８中、ユーザの携帯電話番号と関連付けて記憶される（ステップ３１１、３１２）。また、アクセスキーを含むパケットが生成されて、第２の通信制御部３２から配信される（ステップ３１３、３１４）。
【００３１】
次に、第２の通信制御部３２からのアクセスキーの配信について、より詳細に説明する。第１の実施の形態では、第２の通信制御部３２は、アクセスキーをブロードキャストするように構成されている。
【００３２】
図４に示すように、第２の通信制御部３２は、アクセスキーを、第２の携帯端末２６を特定するための情報（たとえばMAC Address）とともに、各無線ＬＡＮ基地局２４宛てにブロードキャストにて送信する（ステップ４００、４０１参照）。各無線ＬＡＮ基地局２４においては、アクセスキーを受信すると、当該アクセスキーを受理すべき端末の設定に必要な情報およびアクセスキーを少なくとも含むパケット、たとえば、configパケットを生成し（ステップ４０２）、無線ＬＡＮ基地局２４の通信エリアに位置し、当該無線ＬＡＮ基地局２４とデータ授受が可能な第２の携帯端末２６のそれぞれに対して、ブロードキャストする（ステップ４０３、４０４）。図４には示していないが、他の無線ＬＡＮ基地局も、同様に、所定のパケットをブロードキャストしている。
【００３３】
第２の携帯端末２６は、configパケットに含まれるMAC Addressが、自身のものと同一であれば（ステップ４０５でイエス(Yes)）、このconfigパケットを受理し、パケットに含まれる情報にしたがって、ホストパラメータやアクセスキーを設定する（ステップ４０６、４０７）。その一方、MAC
Addressが自身のものと同一でない場合には（ステップ４０５でノー(No)）、パケットを破棄する（ステップ４０８）。その後、パケットを受理し、必要な設定が実行された第２の携帯端末２６は、無線ＬＡＮ基地局２４を介してインターネットにアクセスすることが可能となる。なお、上述したホストパラメータやアクセスキーの自動設定は、たとえば、ＤＨＣＰ(Dynamic
Host Configuration Protocol)を利用することにより実現できる。
【００３４】
このように、本実施の形態によれば、第１の携帯端末１２から、無線電話網１４を介したサーバ１８へのアクセスにおいて、第２の携帯端末を特定する情報がサーバ１８に伝達され、サーバ１８が、当該情報およびアクセスキーを含むパケットをブロードキャストする。これにより、ユーザが公衆無線ＬＡＮ網２２および無線ＬＡＮ基地局２４を介したインターネットへのアクセスを求める第２の無線端末２６に、アクセスのために必要なアクセスキーを与えることが可能となる。
【００３５】
なお、アクセスキーの有効期限を設定し、サーバ１８がユーザデータテーブル３８中の発行日を参照して、有効期限が経過している場合には、アクセスキーおよび発効日の値を消去するとともに、必要な処理を実行して、第２の携帯端末による、そのアクセスキーを利用したアクセスが不可能にする。
【００３６】
次に、本発明の第２の実施の形態について説明する。第２の実施の形態においては、ユーザの位置を検出して、マルチキャストにより、アクセスキーを配信するようになっている。図５は、第２の実施の形態にかかるアクセスキーの伝達までの手順の部分を示すフローチャートである。この処理は、図３における第１の携帯端末１２のサーバへのアクセス（ステップ３０１参照）から、サーバ１８から第１の携帯端末１２への通知（ステップ３０５〜３０８参照）に引き続く部分から示されている。
【００３７】
サーバ１８の第１の通信制御部３０は、第１の携帯端末１２からサーバへのアクセス経路を参照して、第１の携帯端末１２の通信を介した携帯電話基地局１６を特定する（ステップ５０１）。特定された携帯電話基地局１６の情報は、たとえば、第２の通信制御部３２に伝達され（ステップ５０２）、この情報に基づいて、第２の通信制御部３２において、携帯電話基地局１６のカバーする通信エリアに相当する無線ＬＡＮ基地局が特定される（ステップ５０３）。ここでは、携帯電話基地局と一以上の無線ＬＡＮ基地局とを対応付けたテーブルを用意しておき、第２の通信制御部３２が、このテーブルを参照して、無線ＬＡＮ基地局を特定すれば良い。無論、第１の通信制御部が、無線ＬＡＮ基地局を特定して、その情報を、第２の通信制御部に伝達しても良い。
【００３８】
第１の実施の形態と同様に、アクセスキー発行部３６は、ユーザデータ管理部３４からのアクセスキー発行依頼に応答して、アクセスキーを発行する（ステップ５０４、５０５）。生成されたアクセスキーは、たとえば、その発行日ととともに、ユーザデータテーブル３８中、ユーザの携帯電話番号と関連付けて記憶される（ステップ５０６、５０７）。また、第２の通信制御部３２は、生成されたアクセスキーを含むパケットを生成して、これを配信する（ステップ５０８〜５１０）。ここで、パケットを配信すべき無線ＬＡＮ基地局は特定されているため、パケットは特定された無線ＬＡＮ基地局のみに送信すればよい。
【００３９】
パケットを受信した無線ＬＡＮ基地局は、図４と同様に、configパケットを生成し（ステップ５１４）、自己の通信エリアに位置する第２の携帯端末宛にパケットを送信すればよい（ステップ５１５）。
第２の実施の形態によれば、第１の携帯端末１２からのアクセスにしたがってユーザの位置を特定し、その位置をカバーする無線ＬＡＮ基地局に、アクセスキーを含むパケットが伝達され、無線ＬＡＮ基地局が、その通信エリアに位置する第２の携帯端末宛にパケットを伝達する。これにより、公衆無線ＬＡＮ網を伝搬するパケット量を増大させることなく、第２の携帯端末にアクセスキーを伝達することが可能となる。
【００４０】
次に、本発明の第３の実施の形態について説明する。第３の実施の形態においては、第１の携帯端末の音声入力によりアクセスキーが発行されるようになっている。このため、図６に示すように、第３の実施の形態においては、サーバ１８には音声処理モジュール５０が接続される。第１の携帯端末１２と音声処理モジュール５０との間は、無線電話網１４にて接続される。なお、図６においては、サーバ１８と音声処理モジュール５０が別体として描かれ、これらがネットワークにて接続されているが、このような構成に限定されるものではなく、音声処理モジュール５０がサーバ１８内に収容される形態であっても良い。
【００４１】
第３の実施の形態においては、パスワードを利用したユーザ認証は、音声処理モジュール５０にて実行される。図７（ａ）は、第３の実施の形態にかかる音声処理モジュールの構成を詳細に示すブロックダイヤグラムである。図７（ａ）に示すように、音声処理モジュールは、音声認識部５２、ユーザデータテーブル５４、ユーザ管理部５６および通信制御部５８を有する。ユーザデータテーブルには、第３の実施の形態においてユーザＩＤとして利用される携帯電話番号と、当該ユーザのパスワード（第３の実施の形態においては「パスフレーズ」）およびマックアドレス（MAC Address）とが関連付けられて記憶されている。
【００４２】
なお、ユーザは予め、音声処理モジュール５０に発呼して、音声処理モジュールに、パスフレーズおよび第２の携帯端末のMAC Addressを登録しておく。たとえば、あるパスワードには単一のMAC Addressが対応付けられ、ユーザが、複数の第２の携帯端末を利用したい場合には、それぞれの第２の携帯端末のMAC
Addressとパスフレーズとを対応付けて、ユーザデータテーブル５４に登録しておけば良い（図７（ｂ）参照）。
【００４３】
図８に示すように、ユーザが第１の携帯端末１２を操作して、無線電話網１４および携帯電話基地局１６を介して、音声処理モジュール５０に発呼する（ステップ８０１）。次いで、音声処理モジュールからのガイド音声にしたがって、必要なパスワードを音声入力する（ステップ８０２）。音声処理モジュール５０の音声認識部５２は、入力されたパスワードを認識する（ステップ８０３）。次いで、ユーザ管理部５４が、発呼に基づき特定された携帯電話番号に基づいて、ユーザデータテーブル５４から、パスワードを取り出し、ユーザにより入力され、音声認識されたものと照合する（ステップ８０４）。双方が一致せず、認証が失敗した場合（ステップ８０５でノー(No)）には、第１の携帯端末１２に、たとえば、音声により認証失敗が通知される（ステップ８０６）。
【００４４】
その一方、双方が一致し、認証が成功した場合には（ステップ８０５でイエス(Yes)）、第１の携帯端末１２に認証成功が通知される（ステップ８０７）。また、ユーザ管理部５４は、ユーザデータテーブル５４から、携帯電話番号に関連付けられたMAC
Addressを取り出し、アクセスキー発行依頼とともにMAC Addressを、サーバ１８に送信する（ステップ８０８）。
【００４５】
サーバ１８においては、図３のステップ３１０以降の処理が実行される。すなわち、アクセスキー発行依頼およびMAC Addressが受理されると、アクセスキーが発行され（ステップ８０９）、なお、第３の実施の形態において、サーバ１８のユーザデータテーブル３８においては、MAC
Addressおよびアクセスキー発行日が関連付けられて記憶されていれば良い（ステップ８１０）。その後、サーバ１８の第２の通信制御部３２が、ブロードキャスト（第１の実施の形態参照）或いはマルチキャスト（第２の実施の形態参照）により、アクセスキーおよびMAC
Addressを含むパケットを送信する（ステップ８１１）。
【００４６】
第３の実施の形態によれば、ユーザは、音声によるパスワード（パスフレーズ）を入力すれば、携帯電話番号およびパスワードにより、インターネットへのアクセスを求める第２の携帯端末のMAC Addressが特定され、これがサーバ１８に伝達される。サーバ１８は、アクセスキーを発行して、これをマルチキャスト或いはブロードキャストで配信する。したがって、ユーザはキー操作をほとんどすることなく、所望の第２の携帯端末にアクセスキーを配信させることが可能となる。
【００４７】
本発明は、以上の実施の形態に限定されることなく、特許請求の範囲に記載された発明の範囲内で、種々の変更が可能であり、それらも本発明の範囲内に包含されるものであることは言うまでもない。
たとえば、前記第２の実施の形態において、音声処理モジュール５０に記憶されるパスフレーズは、テキストであっても良いし、音声データであっても良い。前者の場合には、音声処理モジュール５０の音声認識部５２において、入力された音声データがテキストに変換され、ユーザデータテーブル５６にデータが収容されれば良い。その一方、後者の場合には、ヴォイスＸＭＬ(Voice XML) の形式で、ユーザデータテーブル５６に収容されれば良い。
【００４８】
また、前記第２の実施の形態においては、予めパスワードおよびMAC Addressを関連付けて、ユーザデータテーブル５６に記憶しているが、これに限定されるものではなく、パスワードを入力し、認証が終了した後、所望の第２の携帯端末のMAC
Addressを入力し、当該入力されたMAC Addressを有する第２の携帯端末宛に、アクセスキーが配信されるように構成されても良い。このMAC
Addressの入力は、音声による入力であっても良いし、キー操作による入力であってもよい。無論、MAC Addressの代わりに、第２の携帯端末の製造番号を入力し、これに基づいて、第２の携帯端末宛に、アクセスキーが配信されてもよい。
【００４９】
さらに、前記第１の実施の形態において、サーバ１８の第１の通信制御部は、いわゆるＷｅｂ（http、https）による、第１の携帯端末１２とのデータ授受を実現しているが、これに限定されるものではなく、ftp、メール(pop3)など他のプロトコルにしたがって、第１の携帯端末１２とのデータ授受を実現してもよい。
【図面の簡単な説明】
【００５０】
【図１】図１は、本発明の第１の実施の形態にかかるシステム全体の概略を示すブロックダイヤグラムである。
【図２】図２は、本実施の形態にかかるサーバの構成を示すブロックダイヤグラムである。
【図３】図３は、本実施の形態において、第２の携帯端末へのアクセスキーの伝達手順の部分を示すフローチャートである。
【図４】図４は、本実施の形態において、第２の携帯端末へのアクセスキーの伝達手順の部分を示すフローチャートである。
【図５】図５は、第２の実施の形態において、第２の携帯端末へのアクセスキーの伝達手順の部分を示すフローチャートである。
【図６】図６は、第３の実施の形態にかかるシステム全体の概略を示すブロックダイヤグラムである。
【図７】図７（ａ）は、第３の実施の形態にかかる音声処理モジュールの構成を詳細に示すブロックダイヤグラム、図７（ｂ）は、ユーザデータテーブルの他の例を示す図である。
【図８】図８は第３の実施の形態において、第２の携帯端末へのアクセスキーの伝達手順の部分を示すフローチャートである。
【符号の説明】
【００５１】
１２      第１の携帯端末
１４      無線電話網
１６      携帯電話基地局
１８      サーバ
２０      データベース
２２      公衆無線ＬＡＮ網
２４      無線ＬＡＮ基地局
２６      第２の携帯端末
３０      第１の通信制御部
３２      第２の通信制御部
３４      ユーザデータ管理部
３６      アクセスキー発行部
【図１】
2005039683.tif 000003
【図２】
2005039683.tif 000004
【図３】
2005039683.tif 000005
【図４】
2005039683.tif 000006
【図５】
2005039683.tif 000007
【図６】
2005039683.tif 000008
【図７】
2005039683.tif 000009
【図８】
2005039683.tif 000010